(57)【要約】【課題】  姿勢や体型の矯正効果、腰痛や膝痛の予防効果、症状改善効果、治療効果などが得られるスパッツを提供する。【解決手段】  腹部および臀部に装着される第１装着部１０と、大腿部に装着される第２装着部１２と、下腿部に装着される第３装着部３０とが連設されたスパッツとする。また、第２装着部に縫合部１８を形成し、この縫合部により大腿部を内方にひねる作用を第２装着部に与え、第３装着部に縫合部３６を形成し、この縫合部により下腿部を外方にひねる作用を第３装着部に与える。さらに、腹部を締め付ける作用を有するテープ２２、臀部を引き上げる作用を有するテープ２４、大腿部を内方にひねる作用および下腿部を外方にひねる作用を強化する作用を有するテープを生地に固着する。【選択図】      図１０
2006233389.tif 000002
【特許請求の範囲】
【請求項１】
腹部および臀部に装着される第１装着部と、大腿部に装着される一対の第２装着部とが連設されたスパッツであって、前記一対の第２装着部はそれぞれスパッツ着用時に大腿部を内方にひねる作用を有することを特徴とするスパッツ。
【請求項２】
前記第２装着部に生地を縫い合わせた縫合部が形成され、該縫合部により大腿部を内方にひねる作用を第２装着部に与えることを特徴とする請求項１に記載のスパッツ。
【請求項３】
前記縫合部は、前記第２装着部に縦方向に沿って形成され、該縫合部において縫い合わされた生地の縁部の少なくとも一方が湾曲していることにより、前記縫合部が大腿部を内方にひねる作用を第２装着部に与えることを特徴とする請求項２に記載のスパッツ。
【請求項４】
前記縫合部は、前記第２装着部の内側部分において前身頃と後身頃とを縫い合わせた大腿内側縫合部であり、該大腿内側縫合部において前身頃の縁部が外方にへこむように湾曲していることにより、前記大腿内側縫合部が大腿部を内方にひねる作用を第２装着部に与えることを特徴とする請求項２または３に記載のスパッツ。
【請求項５】
腹部を締め付ける作用を有するテープおよび臀部を引き上げる作用を有するテープの一方または両方が生地に固着されていることを特徴とする請求項１〜４のいずれか１項に記載のスパッツ。
【請求項６】
腹部および臀部に装着される第１装着部と、大腿部に装着される一対の第２装着部と、下腿部に装着される一対の第３装着部とが連設されたスパッツであって、前記一対の第２装着部はそれぞれスパッツ着用時に大腿部を内方にひねる作用を有し、前記一対の第３装着部はそれぞれスパッツ着用時に下腿部を外方にひねる作用を有することを特徴とするスパッツ。
【請求項７】
前記第２装着部に生地を縫い合わせた縫合部が形成され、該縫合部により大腿部を内方にひねる作用を第２装着部に与えるとともに、前記第３装着部に生地を縫い合わせた縫合部が形成され、該縫合部により下腿部を外方にひねる作用を第３装着部に与えることを特徴とする請求項６に記載のスパッツ。
【請求項８】
前記第２装着部の縫合部は、前記第２装着部に縦方向に沿って形成され、該縫合部において縫い合わされた生地の縁部の少なくとも一方が湾曲していることにより、前記第２装着部の縫合部が大腿部を内方にひねる作用を第２装着部に与えるとともに、前記第３装着部の縫合部は、第３装着部に縦方向に沿って形成され、該縫合部において縫い合わされた生地の縁部の少なくとも一方が湾曲していることにより、前記第３装着部の縫合部が下腿部を外方にひねる作用を第３装着部に与えることを特徴とする請求項７に記載のスパッツ。
【請求項９】
前記第２装着部の縫合部は、第２装着部の内側部分において前身頃と後身頃とを縫い合わせた大腿内側縫合部であり、該大腿内側縫合部において前身頃の縁部が外方にへこむように湾曲していることにより、前記大腿内側縫合部が大腿部を内方にひねる作用を第２装着部に与えるとともに、前記第３装着部の縫合部は、第３装着部の外側部分において前身頃と後身頃とを縫い合わせた下腿外側縫合部であり、該下腿外側縫合部において前身頃の縁部が内方にへこむように湾曲していることにより、前記下腿外側縫合部が下腿部を外方にひねる作用を第３装着部に与えることを特徴とする請求項７または８に記載のスパッツ。
【請求項１０】
腹部を締め付ける作用を有するテープ、臀部を引き上げる作用を有するテープ、前記大腿部を内方にひねる作用を強化する作用を有するテープ、および前記下腿部を外方にひねる作用を強化する作用を有するテープから選ばれる少なくとも１つのテープが生地に固着されていることを特徴とする請求項６〜９のいずれか１項に記載のスパッツ。
【発明の詳細な説明】
【技術分野】
【０００１】
本発明は、着用することにより姿勢や体型の矯正効果、腰痛や膝痛の予防効果、症状改善効果、治療効果などが得られるスパッツに関する。
【背景技術】
【０００２】
従来、膝痛対策などに用いられる整体具として、大腿部に装着される緊締部と、ふくらはぎ部に装着される緊締部と、両緊締部に作用しひざ関節にねじれ作用を与える連結部からなるひざ装着用整体具が提案されている（特許文献１）。
【０００３】
また、腰痛対策などに用いられるサポーターとして、腹部に装着される第１ベルトと、両大腿部に装着される一対の第２ベルトと、第１ベルトと各第２ベルトをつなぎ、装着時に大腿部にそれぞれ内向きのひねり作用を与える連結部からなる腹部サポーターが提案されている（特許文献２）。
【０００４】
【特許文献１】特開平８−３３２１９６
【特許文献２】特開平１１−１３１３０６
【発明の開示】
【発明が解決しようとする課題】
【０００５】
しかし、特許文献１の整体具はベルトを大腿部および下腿部に巻き付けて連結する必要があり、また特許文献２のサポーターはベルトを腹部および大腿部に巻き付けて連結する必要があるもので、いずれも装着が若干面倒であった。
【０００６】
本発明は、前述した事情に鑑みてなされたもので、ベルトを身体に巻き付けて連結するという動作を行うことなく簡単に着用することができ、しかも着用することにより姿勢や体型の矯正効果、腰痛や膝痛の予防効果、症状改善効果、治療効果などが得られるスパッツを提供することを目的とする。
【課題を解決するための手段】
【０００７】
本発明は、前記目的を達成するため、下記第１発明および第２発明のスパッツを提供する。
（第１発明）
腹部および臀部に装着される第１装着部と、大腿部に装着される一対の第２装着部とが連設されたスパッツであって、前記一対の第２装着部はそれぞれスパッツ着用時に大腿部を内方にひねる作用を有することを特徴とするスパッツ。
（第２発明）
腹部および臀部に装着される第１装着部と、大腿部に装着される一対の第２装着部と、下腿部に装着される一対の第３装着部とが連設されたスパッツであって、前記一対の第２装着部はそれぞれスパッツ着用時に大腿部を内方にひねる作用を有し、前記一対の第３装着部はそれぞれスパッツ着用時に下腿部を外方にひねる作用を有することを特徴とするスパッツ。
【０００８】
第１発明のスパッツは、着用時に第２装着部によって大腿部が内方にひねられ、この大腿部の内方へのひねりによって臀部が引き上げられるので、その結果、姿勢や体型の矯正、腰痛の予防、症状改善、治療などが図られる。
【０００９】
第２発明のスパッツは、着用時に第２装着部によって大腿部が内方にひねられ、この大腿部の内方へのひねりによって大殿筋が引き上げられるとともに、第３装着部によって下腿部が外方にひねられ、この下腿部の外方へのひねりと第２装着部による大腿部の内方へのひねりとによって膝の働きがよくなるので、その結果、姿勢や体型の矯正、腰痛や膝痛の予防、症状改善、治療などが図られる。
【００１０】
第１発明においては、第２装着部に生地を縫い合わせた縫合部を形成し、この縫合部によりスパッツ着用時に大腿部を内方にひねる作用を第２装着部に与えることが好ましい。これにより、前述した第１発明の作用効果を生地の裁断および縫製によって簡単に得ることができる。
【００１１】
上述した第１発明における第２装着部の縫合部としては、例えば、第２装着部に縦方向に沿って形成され、この縫合部において縫い合わされた生地の縁部の少なくとも一方が湾曲していることにより、上記縫合部が大腿部を内方にひねる作用を第２装着部に与えるものを挙げることができる。
【００１２】
より具体的には、上記第２装着部の縫合部として、下記（１）の大腿内側縫合部および／または（２）の大腿外側縫合部を挙げることができるが、これらに限定されるものではない。
（１）２装着部の内側部分において前身頃と後身頃とを縫い合わせた大腿内側縫合部であって、この大腿内側縫合部において前身頃または後身頃の縁部が外方にへこむように湾曲していることにより、大腿部を内方にひねる作用を第２装着部に与えるもの。
（２）２装着部の外側部分において前身頃と後身頃とを縫い合わせた大腿外側縫合部であって、この大腿外側縫合部において前身頃または後身頃の縁部が外方に膨らむように湾曲していることにより、大腿部を内方にひねる作用を第２装着部に与えるもの。
【００１３】
また、第１発明においては、腹部を締め付ける作用を有するテープおよび臀部を引き上げる作用を有するテープの一方または両方をスパッツの生地に固着することが好ましい。腹部を締め付ける作用を有するテープを生地に固着した場合は、このテープによって腹部が締め付けられ、その結果、姿勢や体型の矯正、腰痛の予防、症状改善、治療などがより効果的に図られる。臀部を引き上げる作用を有するテープを生地に固着した場合は、このテープによって臀部が引き上げられ、その結果、姿勢や体型の矯正、腰痛の予防、症状改善、治療などがより効果的に図られる。なお、上記テープは生地の外面および内面の一方または両方に固着することができる。
【００１４】
第２発明においては、第２装着部に生地を縫い合わせた縫合部を形成し、この縫合部によりスパッツ着用時に大腿部を内方にひねる作用を第２装着部に与えるとともに、第３装着部に生地を縫い合わせた縫合部を形成し、この縫合部によりスパッツ着用時に下腿部を外方にひねる作用を第３装着部に与えることが好ましい。これにより、前述した第２発明の作用効果を生地の裁断および縫製によって簡単に得ることができる。
【００１５】
上述した第２発明における第２装着部の縫合部としては、例えば、第２装着部に縦方向に沿って形成され、この縫合部において縫い合わされた生地の縁部の少なくとも一方が湾曲していることにより、上記縫合部が大腿部を内方にひねる作用を第２装着部に与えるものを挙げることができる。また、第３装着部の縫合部としては、例えば、第３装着部に縦方向に沿って形成され、この縫合部において縫い合わされた生地の縁部の少なくとも一方が湾曲していることにより、上記縫合部が下腿部を外方にひねる作用を第３装着部に与えるものを挙げることができる。
【００１６】
より具体的には、上記第２装着部の縫合部として、前述した（１）の大腿内側縫合部および／または（２）の大腿外側縫合部を挙げることができ、上記第３装着部の縫合部として、下記（３）の下腿外側縫合部および／または（４）の下腿内側縫合部を挙げることができるが、これらに限定されるものではない。また、第２装着部の縫合部と第３装着部の縫合部の組み合わせは適宜選択することができる。
（３）第３装着部の外側部分において前身頃と後身頃とを縫い合わせた下腿外側縫合部であって、この下腿外側縫合部において前身頃または後身頃の縁部が内方にへこむように湾曲していることにより、下腿部を外方にひねる作用を第３装着部に与えるもの。
（４）第３装着部の内側部分において前身頃と後身頃とを縫い合わせた下腿内側縫合部であって、この下腿内側縫合部において前身頃または後身頃の縁部が内方に膨らむように湾曲していることにより、下腿部を外方にひねる作用を第３装着部に与えるもの。
【００１７】
また、第２発明においては、腹部を締め付ける作用を有するテープ、臀部を引き上げる作用を有するテープ、第２装着部による大腿部を内方にひねる作用を強化する作用を有するテープ、および第３装着部による下腿部を外方にひねる作用を強化する作用を有するテープから選ばれる少なくとも１つのテープをスパッツの生地に固着することが好ましい。腹部を締め付ける作用を有するテープを生地に固着した場合、および臀部を引き上げる作用を有するテープを生地に固着した場合は、第１発明において述べたのと同様の効果を得ることができる。
【００１８】
第２装着部による大腿部を内方にひねる作用を強化する作用を有するテープを生地に固着した場合は、このテープによって大腿部の内方へのひねりが強化され、その結果、姿勢や体型の矯正、腰痛や膝痛の予防、症状改善、治療などがより効果的に図られる。第３装着部による下腿部を外方にひねる作用を強化する作用を有するテープを固着した場合は、このテープによって下腿部の外方へのひねりが強化され、その結果、姿勢や体型の矯正、腰痛や膝痛の予防、症状改善、治療などがより効果的に図られる。なお、第１発明および第２発明において、各種のテープは生地の外面および内面の一方または両方に固着することができる。
【００１９】
本発明のスパッツの材料に限定はないが、スパッツの生地としては合成繊維製の縦方向および横方向に伸縮性を有する生地を用いることが好ましく、生地に固着する各種テープとしては合成樹脂製の長さ方向に伸縮性を有するテープを用いることが適当である。
【発明の効果】
【００２０】
本発明のスパッツは、着用することにより、姿勢や体型の矯正効果、ならびに腰痛や膝痛の予防効果、症状改善効果および治療効果などを得ることができる。
【発明を実施するための最良の形態】
【００２１】
以下、本発明に係るスパッツの実施形態を示すが、本発明は下記実施形態に限定されるものではない。
［第１実施形態］
図１〜図３は第１発明に係るスパッツの一例を示すもので、図１は内面正面図、図２は内面背面図、図３は前身頃および後身頃を示す図である。本例のスパッツは、腹部および臀部に装着される第１装着部１０と、大腿部に装着される一対の第２装着部１２、１２とを有する。
【００２２】
本例のスパッツは、第２装着部１２、１２の内側部分に、前身頃１４と後身頃１６とを縫い合わせた大腿内側縫合部１８が形成されている。大腿内側縫合部１８においては、前身頃１４の縁部が外方にへこむように湾曲し（湾曲部分を符号２０で示す）、その結果、大腿内側縫合部１８が外方にへこむように湾曲しており、この湾曲した大腿内側縫合部１８がスパッツ着用時に大腿部を内方にひねる作用を第２装着部１２に付与している。
【００２３】
すなわち、本例のスパッツを着用すると、第２装着部１２、１２に、湾曲した大腿内側縫合部１８が図中点線ａで示すように真っ直ぐになろうとする力が加わり、この力によって第２装着部１２、１２の生地が図中矢印ｂで示すように内方に引っ張られ、その結果、大腿部が第２装着部１２、１２の生地によって内方にひねられる。
【００２４】
本例のスパッツによれば、着用時に第２装着部１２、１２によって大腿部が内方にひねられ、この大腿部の内方へのひねりによって臀部が引き上げられるため、姿勢や体型の矯正、腰痛の予防、症状改善、治療などが図られる。
［第２実施形態］
図４〜図６は第１発明に係るスパッツの一例を示すもので、図４は内面正面図、図５は内面背面図、図６は前身頃および後身頃を示す図である。本例のスパッツは、第１実施形態のスパッツの生地の内面に、腹部を締め付ける作用を有するテープおよび臀部を引き上げる作用を有するテープを固着したものである。本例のスパッツは、上記テープを生地に固着したこと以外は第１実施形態のスパッツと同じであるので、図４〜図６において図１〜図３と同一構成の部分には、同一の参照符号を付してその説明を省略する。
【００２５】
本例のスパッツは、第１装着部１０の前側上部中央から後側上部中央にかけて、一対の直線状の第１テープ２２、２２が生地に縫い付けられている。また、第１装着部１０の前側上部中央から第２装着部１２、１２の後側上部内側にかけて、一対の直線状の第２テープ２４、２４が生地に縫い付けられている。さらに、第１装着部１０の後側上部中央から第２装着部１２、１２の後側上部内側にかけて、一対の略半円状の第３テープ２６、２６が生地に縫い付けられている。また、第２テープ２４の上部は第１装着部１０の前側上部中央において第１テープ２２に縫い合わされ、第２テープ２４の下部は第２装着部１２、１２の後側上部内側において第３テープ２６に縫い合わされ、第３テープ２６の上部は第１装着部１０の後側上部において第１テープ２２に縫い合わされている。
【００２６】
本例のスパッツを着用すると、第１実施形態のスパッツと同様に、大腿部が第２装着部１２、１２の生地によって内方にひねられる。また、第１テープ２２、２２によって腹部が図中矢印ｃで示すように締め付けられ、第２テープ２４、２４によって臀部が図中矢印ｄで示すように斜め上方に引き上げられ、第３テープ２６、２６によって臀部が図中矢印ｅで示すようにほぼ真上に引き上げられる。
【００２７】
本例のスパッツによれば、着用時に第２装着部１２、１２によって大腿部が内方にひねられ、この大腿部の内方へのひねりによって臀部が引き上げられるとともに、第１テープ２２によって腹部が締め付けられ、第２テープ２４および第３テープ２６によって臀部が引き上げられるため、姿勢や体型の矯正、腰痛の予防、症状改善、治療などが図られる。
［第３実施形態］
図７〜図９は第２発明に係るスパッツの一例を示すもので、図７は内面正面図、図８は内面背面図、図９は前身頃および後身頃を示す図である。本例のスパッツは、腹部および臀部に装着される第１装着部１０と、大腿部に装着される一対の第２装着部１２、１２と、下腿部に装着される一対の第３装着部３０、３０とを有する。本例のスパッツは、第２装着部１２に第３装着部３０を連設したこと以外は第１実施形態のスパッツと同じであるので、図７〜図９において図１〜図３と同一構成の部分には、同一の参照符号を付してその説明を省略する。
【００２８】
本例のスパッツは、第３装着部３０、３０の外側部分に、前身頃１４と後身頃１６とを縫い合わせた下腿外側縫合部３２が形成されている。下腿外側縫合部３２においては、前身頃１４の縁部が内方にへこむように湾曲し（湾曲部分を符号３４で示す）、その結果、下腿外側縫合部３２が内方にへこむように湾曲している。また、本例のスパッツは、第３装着部３０、３０の内側部分に、前身頃１４と後身頃１６とを縫い合わせた下腿内側縫合部３６が形成されている。下腿内側縫合部３６においては、前身頃１４の縁部が内方に膨らむように湾曲し（湾曲部分を符号３８で示す）、その結果、下腿内側縫合部３６が内方に膨らむように湾曲している。
【００２９】
そして、本例のスパッツでは、上記の湾曲した下腿外側縫合部３２および下腿内側縫合部３６が、スパッツ着用時に下腿部を外方にひねる作用を第３装着部３０、３０に付与している。すなわち、本例のスパッツを着用すると、第３装着部３０、３０に、湾曲した下腿外側縫合部３２が図中点線ｆで示すように真っ直ぐになろうとする力と、湾曲した下腿内側縫合部３６が図中点線ｇで示すように真っ直ぐになろうとする力が加わり、これらの力によって第３装着部３０、３０の生地が図中矢印ｈ、ｉで示すように外方に引っ張られ、その結果、下腿部が第３装着部３０、３０の生地によって外方にひねられる。
【００３０】
本例のスパッツによれば、着用時に第２装着部１２、１２によって大腿部が内方にひねられ、この大腿部の内方へのひねりによって臀部が引き上げられるとともに、第３装着部３０、３０によって下腿部が外方にひねられ、この下腿部の外方へのひねりと第２装着部１２、１２による大腿部の内方へのひねりとによって膝の働きがよくなるため、姿勢や体型の矯正、腰痛や膝痛の予防、症状改善、治療などが図られる。
［第４実施形態］
図１０〜図１２は第２発明に係るスパッツの一例を示すもので、図１０は内面正面図、図１１は内面背面図、図１２は前身頃および後身頃を示す図である。本例のスパッツは、第３実施形態のスパッツの生地の内面に、第２実施形態と同様の腹部を締め付ける作用を有するテープおよび臀部を引き上げる作用を有するテープを固着するとともに、大腿部を内方にひねる作用および下腿部を外方にひねる作用の両方を強化する作用を有するテープを固着したものである。本例のスパッツは、上記テープを生地に固着したこと以外は第３実施形態のスパッツと同じであるので、図１０〜図１２において図１〜図６と同一構成の部分には、同一の参照符号を付してその説明を省略する。
【００３１】
本例のスパッツは、第２実施形態と同様の第１テープ２２、２２、第２テープ２４、２４および第３テープ２６、２６が生地に縫い付けられている。また、  本例のスパッツは、第２装着部１２、１２の大腿内側縫合部１８、１８から第３装着部３０、３０の下腿外側縫合部３２にかけて、一対の直線状の第４テープ４０、４０が後身頃１６の生地に縫い付けられている。第４テープ４０、４０は、特にひざを伸ばしたときに引っ張られ、これにより大腿部を内方にひねる作用および下腿部を外方にひねる作用が強化される。ただし、第４テープ４０、４０は前身頃１４の生地に縫い付けてもよい。このようにすると、第４テープ４０、４０は特にひざを曲げたときに引っ張られ、これにより大腿部を内方にひねる作用および下腿部を外方にひねる作用が強化される。
【００３２】
本例のスパッツによれば、着用時に第２装着部１２、１２によって大腿部が内方にひねられ、この大腿部の内方へのひねりによって臀部が引き上げられるとともに、第３装着部３０、３０によって下腿部が外方にひねられ、この下腿部の外方へのひねりと第２装着部１２、１２による大腿部の内方へのひねりとによって膝の働きがよくなり、しかも、第１テープ２２によって腹部が締め付けられ、第２テープ２４および第３テープ２６によって臀部が引き上げられ、第４テープ４０によって大腿部を内方にひねる作用および下腿部を外方にひねる作用が強化されるため、姿勢や体型の矯正、腰痛や膝痛の予防、症状改善、治療などが図られる。
【００３３】
なお、本発明のスパッツは前述した例に限定されるものではなく、本発明の要旨を逸脱しない範囲で種々変更することが可能である。例えば、第２実施形態では第１〜第３テープを生地に固着し、第４実施形態では第１〜第４テープを生地に固着したが、テープのいずれか１つ以上を省略してもよい。また、第３実施形態および第４実施形態においては、足部に装着される第４装着部を第３装着部に連設してもよい。
【図面の簡単な説明】
【００３４】
【図１】第１発明に係るスパッツの一例を示す内面正面図である。
【図２】図１のスパッツの内面背面図である。
【図３】図１のスパッツの前身頃および後身頃を示す図である。
【図４】第１発明に係るスパッツの一例を示す内面正面図である。
【図５】図４のスパッツの内面背面図である。
【図６】図４のスパッツの前身頃および後身頃を示す図である。
【図７】第２発明に係るスパッツの一例を示す内面正面図である。
【図８】図７のスパッツの内面背面図である。
【図９】図７のスパッツの前身頃および後身頃を示す図である。
【図１０】第２発明に係るスパッツの一例を示す内面正面図である。
【図１１】図１０のスパッツの内面背面図である。
【図１２】図１０のスパッツの前身頃および後身頃を示す図である。
【符号の説明】
【００３５】
１０  第１装着部
１２  第２装着部
１４  前身頃
１６  後身頃
１８  大腿内側縫合部
２０  湾曲部分
２２  第１テープ
２４  第２テープ
２６  第３テープ
３０  第３装着部
３２  下腿外側縫合部
３４  湾曲部分
３６  下腿内側縫合部
３８  湾曲部分
４０  第４テープ
【図１】
2006233389.tif 000003
【図２】
2006233389.tif 000004
【図３】
2006233389.tif 000005
【図４】
2006233389.tif 000006
【図５】
2006233389.tif 000007
【図６】
2006233389.tif 000008
【図７】
2006233389.tif 000009
【図８】
2006233389.tif 000010
【図９】
2006233389.tif 000011
【図１０】
2006233389.tif 000012
【図１１】
2006233389.tif 000013
【図１２】
2006233389.tif 000014